(57)【要約】【課題】利用者の生体情報を測定することができるエレベータ装置を得る。【解決手段】利用者６の生体情報を測定するエレベータ装置１であって、閉釦１６３と、閉釦１６３に設けられ、閉釦１６３を操作する利用者６の指紋情報を取得し、かつ、閉釦１６３を操作する利用者６の生体情報を測定する指紋生体情報入力装置１６４と、生体情報に基づいて、利用者６の健康状態の異常を検出する情報処理装置１８と、かご１２内に向かってアナウンスするスピーカ１４とを備え、スピーカ１４は、指紋情報により特定された前記利用者についての過去に測定された生体情報および新たに測定された生体情報をアナウンスし、さらに、情報処理装置１８の検出結果に基づいて、利用者６の健康状態の異常の有無をアナウンスする。【選択図】図３
2012197140.tif 000002
【特許請求の範囲】
【請求項１】
利用者の生体情報を測定するエレベータ装置であって、
かごまたは乗場に設けられた操作釦と、
前記操作釦に設けられ、前記操作釦を操作する前記利用者の前記生体情報を測定する生体情報測定装置とを備えたことを特徴とするエレベータ装置。
【請求項２】
前記かごまたは前記乗場に設けられ、前記生体情報を報知する報知装置をさらに備えたことを特徴とする請求項１に記載のエレベータ装置。
【請求項３】
前記操作釦に設けられ、前記操作釦を操作する前記利用者の指紋情報を取得する指紋情報取得装置をさらに備え、
前記報知装置は、前記指紋情報により特定された前記利用者についての過去に測定された前記生体情報および新たに測定された前記生体情報を報知することを特徴とする請求項２に記載のエレベータ装置。
【請求項４】
前記生体情報に基づいて、前記利用者の健康状態の異常を検出する異常検出装置と、
前記異常検出装置の検出結果に基づいて、前記利用者の健康状態の異常の有無を報知する報知装置とをさらに備えたことを特徴とする請求項１ないし請求項３の何れか１項に記載のエレベータ装置。
【請求項５】
前記かごに設けられ、前記利用者が前記かごに乗ることにより前記利用者の体重を測定する体重測定装置と、
前記かごまたは前記乗場に設けられ、前記体重測定装置の体重測定結果を報知する報知装置とをさらに備えたことを特徴とする請求項１ないし請求項４の何れか１項に記載のエレベータ装置。
【請求項６】
かごまたは乗場に設けられた操作釦と、前記操作釦に設けられ、前記操作釦を操作する前記利用者の生体情報を測定する生体情報測定装置とを備えたエレベータ装置を用いた生体情報測定方法であって、
前記利用者により前記操作釦が操作される操作工程と、
前記生体情報測定装置により前記利用者の生体情報が測定される生体情報取得工程とを備えたことを特徴とするエレベータ装置を用いた生体情報測定方法。
【発明の詳細な説明】
【技術分野】
【０００１】
この発明は、乗客を目的階に搬送するエレベータ装置およびエレベータ装置を用いた生体情報測定方法に関する。
【背景技術】
【０００２】
従来、昇降路を昇降するかごと、かごの昇降を制御する制御装置と、かごの昇降を監視する監視装置とを備え、一人暮らしの住人の住宅に設けられるホームエレベータ装置が知られている。監視装置は、かごの昇降についての情報を制御装置から受信し、受信したかごの昇降についての情報に基づいて、所定の間、かごが昇降していないか否かを判定する。所定の間、かごが昇降していないと監視装置が判定すると、監視装置は、住人と離れて暮らす家族等へ通報する。これにより、住人が動くことができなくなることにより、住人がホームエレベータ装置を使用することができなくなった場合に、住人の家族へ自動的に通報される（例えば、特許文献１参照）。
【先行技術文献】
【特許文献】
【０００３】
【特許文献１】特開２０１０−２０８７１０号公報
【発明の概要】
【発明が解決しようとする課題】
【０００４】
しかしながら、利用者の心拍数等の生体情報を測定することができないので、住人が動けなくなる前に、住人の健康状態の異常を検出することができないという問題点があった。
【０００５】
この発明は、利用者の生体情報を測定することができるエレベータ装置を提供するものである。
【課題を解決するための手段】
【０００６】
この発明に係るエレベータ装置は、利用者の生体情報を測定するエレベータ装置であって、かごまたは乗場に設けられた操作釦と、前記操作釦に設けられ、前記操作釦を操作する前記利用者の前記生体情報を測定する生体情報測定装置とを備えている。
【０００７】
また、この発明に係るエレベータ装置を用いた生体情報測定方法は、かごまたは乗場に設けられた操作釦と、前記操作釦に設けられ、前記操作釦を操作する前記利用者の生体情報を測定する生体情報測定装置とを備えたエレベータ装置を用いた生体情報測定方法であって、前記利用者により前記操作釦が操作される操作工程と、前記生体情報測定装置により前記利用者の生体情報が測定される生体情報取得工程とを備えている。
【発明の効果】
【０００８】
この発明に係るエレベータ装置によれば、かごまたは乗場に設けられた操作釦と、操作釦に設けられ、操作釦を操作する利用者の生体情報を測定する生体情報測定装置とを備えているので、利用者が操作釦を操作することにより、利用者の生体情報を測定することができる。
【０００９】
また、この発明に係るエレベータ装置を用いた生体情報測定方法によれば、利用者により操作釦が操作される操作工程と、生体情報測定装置により利用者の生体情報が測定される生体情報取得工程を備えているので、利用者が操作釦を操作することにより、利用者の生体情報を測定することができる。
【図面の簡単な説明】
【００１０】
【図１】この発明の実施の形態１に係るエレベータシステムを示す構成図である。
【図２】図１のかご操作盤を示す正面図である。
【図３】図１のスピーカ、表示装置、かご操作盤、体重測定装置および情報処理装置の接続関係を示すブロック図である。
【発明を実施するための形態】
【００１１】
実施の形態１．
図１はこの発明の実施の形態１に係るエレベータシステムを示す構成図である。図において、エレベータシステムは、エレベータ装置１と、エレベータ装置１に接続された公衆回線２と、公衆回線２を介してエレベータ装置１と通信を行う情報センタ３と、エレベータ装置１に接続されたＬＡＮ回線４と、ＬＡＮ回線４を介してエレベータ装置１と通信を行う端末装置５とを備えている。ＬＡＮ回線４および端末装置５は、エレベータ装置１が設置されている建物の中に設けられている。情報センタ３および端末装置５は、エレベータ装置１から送られた情報を記憶するようになっている。
【００１２】
エレベータ装置１は、昇降路１１を昇降するかご１２と、かご１２の昇降を制御するエレベータ制御盤１３と、かご１２内に向かってアナウンスを行うスピーカ１４と、かご１２の内壁に設けられた表示装置１５と、かご１２内の利用者６に操作されるかご操作盤１６と、かご１２内の利用者６の体重を測定する体重測定装置１７と、かご１２の天井部分に載せられた情報処理装置（異常検出装置）１８とを備えている。体重測定装置１７は、かご１２を支持しており、かご１２全体の重量の変化から、かご１２内の利用者６の体重を測定する。スピーカ１４および表示装置１５から、報知装置が構成されている。
【００１３】
図２は図１のかご操作盤１６を示す正面図である。かご操作盤１６は、各階に対応した行先釦１６１と、かご戸（図示せず）を移動させてかご出入口（図示せず）を開くための開釦１６２と、かご戸（図示せず）を移動させてかご出入口（図示せず）を閉じるための閉釦（操作釦）１６３と、閉釦１６３を操作する利用者６（図１）の指紋情報を取得し、かつ、生体情報を測定する指紋生体情報入力装置１６４とを有している。
【００１４】
行先釦１６１は、行先釦１６１が利用者６に操作されると、行先釦１６１が操作されたことを示す行先釦操作情報をエレベータ制御盤１３（図１）に送信するようになっている。エレベータ制御盤１３は、行先釦操作情報に基づいて、かご登録を行う。
【００１５】
開釦１６２は、開釦１６２が利用者６に操作されると、開釦１６２が操作されたことを示す開釦操作情報をエレベータ制御盤１３に送信するようになっている。エレベータ制御盤１３は、開釦操作情報に基づいて、かご戸の移動を制御して、かご出入口を開く。
【００１６】
閉釦１６３は、閉釦１６３が利用者６に操作されると、閉釦１６３が操作されたことを示す閉釦操作情報をエレベータ制御盤１３に送信するようになっている。エレベータ制御盤１３は、閉釦操作情報に基づいて、かご戸の移動を制御して、かご出入口を閉じる。
【００１７】
指紋生体情報入力装置１６４は、利用者６の指紋情報を取得する指紋情報取得装置と、指紋情報取得装置による指紋情報の取得とほぼ同時に、利用者６の生体情報を測定する生体情報測定装置とから構成されている。指紋生体情報入力装置１６４は、利用者６が閉釦１６３を操作するときに、同時に利用者６に操作されるように配置されている。指紋生体情報入力装置１６４は、利用者６が閉釦１６３を操作することにより、閉釦１６３を操作する利用者６の指紋情報を取得し、かつ、生体情報を測定する。指紋生体情報入力装置１６４は、取得した指紋情報および測定した生体情報を情報処理装置１８に送信するようになっている。生体情報には、心拍数情報、体温情報および血圧情報が含まれる。
【００１８】
図３は図１のスピーカ１４、表示装置１５、かご操作盤１６、体重測定装置１７および情報処理装置１８の接続関係を示すブロック図である。スピーカ１４、表示装置１５、かご操作盤１６および体重測定装置１７のそれぞれは、情報処理装置１８に接続されている。
【００１９】
体重測定装置１７は、かご１２内の利用者６（図１）についての体重測定結果を情報処理装置１８に送信するようになっている。
【００２０】
情報処理装置１８は、かご操作盤１６から指紋情報および生体情報を受信し、さらに、体重測定装置１７から体重測定結果を受信する。情報処理装置１８は、指紋情報、生体情報および体重測定結果のそれぞれを対応させながら、指紋情報、生体情報および体重測定結果を記憶する。
【００２１】
情報処理装置１８には、利用者６の指紋情報、身長、性別、生年月日が予め登録されている。情報処理装置１８は、受信した指紋情報と登録されている指紋情報とを比較して、閉釦１６３を操作している利用者６（図１）を特定するようになっている。また、情報処理装置１８には、受信した心拍数情報、体温情報および血圧情報のそれぞれと比較するための基準情報が記憶されている。情報処理装置１８は、受信した心拍数情報、体温情報および血圧情報のそれぞれと基準情報とを比較して、利用者６の健康状態の異常を検出するようになっている。
【００２２】
スピーカ１４は、指紋情報により特定された利用者６についての過去に取得された生体情報および体重測定結果と新たに取得された生体情報および体重測定結果とをアナウンスする。また、スピーカ１４は、情報処理装置１８の検出結果に基づいて、利用者６の健康状態の異常の有無をアナウンスする。
【００２３】
表示装置１５は、指紋情報により特定された利用者６についての過去に取得された生体情報および体重測定結果と新たに取得された生体情報および体重測定結果とを表示する。また、表示装置１５は、情報処理装置１８の検出結果に基づいて、利用者６の健康状態の異常の有無を表示する。
【００２４】
図１に示すように、情報処理装置１８は、エレベータ制御盤１３と接続されている。情報処理装置１８は、指紋情報、生体情報、体重測定結果および利用者６の健康状態の異常の有無の情報をエレベータ制御盤１３に送信するようになっている。
【００２５】
エレベータ制御盤１３は、指紋情報、生体情報、体重測定結果および利用者６の健康状態の異常の有無の情報を情報センタ３および端末装置５に送信するようになっている。
【００２６】
次に、エレベータシステムの動作について説明する。まず、エレベータ装置１を利用する利用者６がかご１２内に乗り込むと、体重測定装置１７は、利用者６の体重を測定し（体重測定工程）、さらに、体重測定結果を情報処理装置１８に送信する。
【００２７】
その後、利用者６がかご操作盤１６の行先釦１６１を操作すると、エレベータ制御盤１３がかご登録を行う。また、利用者６により閉釦１６３が操作されると（操作工程）、エレベータ制御盤１３の制御により、かご戸がかご出入口を閉じる。このとき、指紋生体情報入力装置１６４により、利用者６の指紋情報が取得され（指紋情報取得工程）、かつ、生体情報が測定される（生体情報取得工程）。その後、指紋生体情報入力装置１６４は、指紋情報および生体情報を情報処理装置１８に送信する。
【００２８】
その後、情報処理装置１８は、受信した生体情報に基づいて、利用者６の健康状態の異常の有無を検出する（異常検出工程）。また、情報処理装置１８は、受信した指紋情報に基づいて、利用者６を特定する。
【００２９】
その後、スピーカ１４は、指紋情報により特定された利用者６についての過去に測定された生体情報および体重測定結果と新たに測定された生体情報および体重測定結果とをアナウンスする。また、スピーカ１４は、情報処理装置１８の検出結果に基づいて、利用者６の健康状態の異常の有無をアナウンスする。
【００３０】
このとき、表示装置１５は、指紋情報により特定された利用者６についての過去に測定された生体情報および体重測定結果と新たに測定された生体情報および体重測定結果とを表示する。また、表示装置１５は、情報処理装置１８の検出結果に基づいて、利用者６の健康状態の異常の有無を表示する。
【００３１】
情報処理装置１８は、指紋情報、生体情報、体重測定結果および利用者６の健康状態の異常の有無の情報をエレベータ制御盤１３に送信する。エレベータ制御盤１３は、指紋情報、生体情報、体重測定結果および利用者６の健康状態の異常の有無の情報を情報センタ３および端末装置５に送信する。
【００３２】
その後、情報センタ３からエレベータ装置１が設置されている建物に対して、リモート点検データとともに、各利用者６についての生体情報および体重測定結果が示された書面が利用者６ごとに分けて定期的に送付される。
【００３３】
また、利用者６は、端末装置５を用いることにより、生体情報、体重測定結果および利用者６の健康状態の異常の有無をいつでも確認することができる。
【００３４】
以上説明したように、この発明の実施の形態１に係るエレベータ装置１によれば、閉釦１６３と、閉釦１６３に設けられ、閉釦１６３を操作する利用者６の生体情報を測定する指紋生体情報入力装置１６４とを備えているので、利用者６が閉釦１６３を操作することにより、利用者６の生体情報を測定することができる。
【００３５】
また、エレベータ装置１は、かご１２に設けられ利用者６の生体情報をアナウンスするスピーカ１４を備えているので、利用者６に対して、利用者６の生体情報を知らせることができる。
【００３６】
また、エレベータ装置１は、閉釦１６３に設けられ閉釦１６３を操作する利用者６の指紋情報を取得する指紋生体情報入力装置１６４を備え、スピーカ１４は、指紋情報により特定された利用者６についての過去に測定された生体情報および新たに測定された生体情報をアナウンスするので、利用者に対して、利用者６の生体情報の変化を知らせることができる。
【００３７】
また、エレベータ装置１は、生体情報に基づいて、利用者６の健康状態の異常を検出する情報処理装置１８と、情報処理装置１８の検出結果に基づいて、利用者６の健康状態の異常の有無をアナウンスするスピーカ１４とを備えているので、利用者６に対して、利用者６の健康状態の異常の有無を知らせることができる。
【００３８】
また、エレベータ装置１は、かご１２に設けられ生体情報を表示する表示装置１５を備えているので、利用者６に対して、利用者６の生体情報を知らせることができる。
【００３９】
また、エレベータ装置１は、閉釦１６３に設けられ閉釦１６３を操作する利用者６の指紋情報を取得する指紋生体情報入力装置１６４を備え、表示装置１５は、指紋情報により特定された利用者６についての過去に測定された生体情報および新たに測定された生体情報を表示するので、利用者６に対して、利用者６の生体情報の変化を知らせることができる。
【００４０】
また、エレベータ装置１は、生体情報に基づいて、利用者６の健康状態の異常を検出する情報処理装置１８と、情報処理装置１８の検出結果に基づいて、利用者６の健康状態の異常の有無を表示する表示装置１５とを備えているので、利用者６に対して、利用者６の健康状態の異常の有無を知らせることができる。
【００４１】
また、エレベータ装置１は、かご１２に設けられ利用者６がかご６に乗ることにより利用者６の体重を測定する体重測定装置１７と、かご１２に設けられ体重測定装置１７の体重測定結果を報知するスピーカ１４とを備えているので、利用者６がかご１２の乗ることにより、利用者６の体重を測定し、利用者６に対して、利用者６の体重を知らせることができる。
【００４２】
また、エレベータ装置１は、かご１２に設けられ利用者６がかご６に乗ることにより利用者６の体重を測定する体重測定装置１７と、かご１２に設けられ体重測定装置１７の体重測定結果を報知する表示装置１５とを備えているので、利用者６がかご１２の乗ることにより、利用者６の体重を測定し、利用者６に対して、利用者６の体重を知らせることができる。
【００４３】
また、この発明の実施の形態１に係るエレベータ装置１を用いた生体情報測定方法によれば、利用者６により閉釦１６３が操作される操作工程と、指紋生体情報入力装置１６４により利用者６の生体情報が測定される生体情報測定工程とを備えているので、利用者６が閉釦１６３を操作することにより、利用者６の生体情報を測定することができる
【００４４】
なお、上記実施の形態１では、指紋生体情報入力装置１６４がかご操作盤１６の閉釦１６３に設けられた構成について説明したが、指紋生体情報入力装置１６４が乗場操作盤の上釦や下釦に設けられる構成であってもよい。また、指紋生体情報入力装置１６４が、かご操作盤１６の行先釦１６１や開釦１６２に設けられる構成であってもよい。
【００４５】
また、上記実施の形態１では、生体情報には、心拍数情報、体温情報および血圧情報が含まれる構成について説明したが、これらに限らず、健康状態の異常の有無を判断するための指標となるその他の情報が生体情報に含まれる構成であってもよく、また、心拍数情報、体温情報および血圧情報のうちの何れか１つまたは２つが生体情報に含まれる構成であってもよい。
【００４６】
また、上記実施の形態１では、スピーカ１４および表示装置１５がかご１２に設けられたエレベータ装置１の構成について説明したが、スピーカ１４および表示装置１５が乗場に設けられたエレベータ装置１の構成であってもよい。この場合、指紋生体情報入力装置１６４は、乗場操作盤の上釦や下釦に設けられるのが望ましい。また、スピーカ１４および表示装置１５を備えないエレベータ装置１、つまり、報知装置を備えないエレベータ装置１であってもよく、また、スピーカ１４および表示装置１５の何れか一方のみを備えたエレベータ装置１であってもよい。
【００４７】
また、上記実施の形態１では、利用者６の指紋情報を取得する指紋情報取得装置と、利用者６の生体情報を測定する生体情報測定装置とを備えたエレベータ装置１の構成について説明したが、指紋情報取得装置および生体情報測定装置のうちの、生体情報測定装置のみを備えたエレベータ装置１であってもよい。
【００４８】
また、上記実施の形態１では、情報処理装置１８を備えたエレベータ装置１について説明したが、情報処理装置１８を備えないエレベータ装置１であってもよい。
【００４９】
また、上記実施の形態１では、体重測定装置１７を備えたエレベータ装置１の構成について説明したが、体重測定装置１７を備えないエレベータ装置１であってもよい。
【００５０】
また、上記実施の形態１では、エレベータ装置１から情報センタ３へ、指紋情報、生体情報、体重測定結果および利用者６の健康状態の異常の有無の情報が送信される構成について説明したが、エレベータ装置１から、エレベータ装置１が設置されている建物の住人と離れて暮らす家族等に対して、指紋情報、生体情報、体重測定結果および利用者６の健康状態の異常の有無の情報が送信される構成であってもよい。
【符号の説明】
【００５１】
１  エレベータ装置、２  公衆回線、３  情報センタ、４  ＬＡＮ回線、５  端末装置、６  利用者、１１  昇降路、１２  かご、１３  エレベータ制御盤、１４  スピーカ、１５  表示装置、１６  かご操作盤、１７  体重測定装置、１８  情報処理装置（異常検出装置）、１６１  行先釦、１６２  開釦、１６３  閉釦（操作釦）、１６４  指紋生体情報入力装置。
【図１】
2012197140.tif 000003
【図２】
2012197140.tif 000004
【図３】
2012197140.tif 000005